(57)【要約】【課題】利用者の意思に基づく自動金額チャージが可能な金額チャージシステムを提供すること。【解決手段】金額チャージシステムは、金額チャージ可能なＩＣカードに記録された情報を読み取る読取手段（３１）と、前記ＩＣカードから読み取った情報に含まれるＩＣカードの識別情報に対応した所定金額の１回限りのチャージ指定情報に基づき、このＩＣカードに対してこの所定金額をチャージする金額チャージ手段（３３、３４）とを備えている。【選択図】      図２
2005215877.tif 000002
【特許請求の範囲】
【請求項１】
金額チャージ可能なＩＣカードに記録された情報を読み取る読取手段と、
前記ＩＣカードから読み取った情報に含まれるＩＣカードの識別情報に対応した所定金額の１回限りのチャージ指定情報に基づき、このＩＣカードに対してこの所定金額をチャージする金額チャージ手段と、
を備えたことを特徴とする金額チャージシステム。
【請求項２】
改札処理のために、金額チャージ可能なＩＣカードに記録された情報を読み取る読取手段と、
前記ＩＣカードから読み取った情報に含まれるＩＣカードの識別情報に対応した所定金額の１回限りのチャージ指定情報に基づき、このＩＣカードに対してこの所定金額をチャージする金額チャージ手段と、
前記ＩＣカードに対する所定金額のチャージに伴い、前記チャージ指定情報に基づく金額チャージを停止する金額チャージ制御手段と、
前記ＩＣカードから読み取った情報に基づき改札処理を行なう改札手段と、
を備えたことを特徴とする改札処理を伴う金額チャージシステム。
【請求項３】
通信回線を介して、ＩＣカードの識別情報に対応付けられた所定金額の１回限りのチャージ指定を受け付け、ＩＣカードの識別情報に対応付けて所定金額の１回限りのチャージ指定情報を金額チャージデータとして管理する管理手段と、
改札処理のために、金額チャージ可能なＩＣカードに記録された情報を読み取る読取手段と、
前記金額チャージデータ、前記ＩＣカードから読み取った情報に含まれるＩＣカードの識別情報、及び前記ＩＣカードから読み取った情報に含まれる過去のチャージ完了情報に基づき金額チャージの必要性を判断し、前記金額チャージデータから判明する前記識別情報に対応した所定金額の１回限りのチャージ指定情報に基づき、このＩＣカードに対してこの所定金額をチャージする金額チャージ手段と、
前記チャージ指定情報に基づく所定金額のチャージに伴い、前記ＩＣカードに対して前記チャージ指定情報に基づくチャージ完了情報を記録するとともに、前記チャージ指定情報を削除し、前記チャージ指定情報に基づく金額チャージを停止する金額チャージ制御手段と、
前記ＩＣカードから読み取った情報に基づき改札処理を行なう改札手段と、
を備えたことを特徴とする改札処理を伴う金額チャージシステム。
【請求項４】
金額チャージ可能なＩＣカードに記録された情報を読み取り、
前記ＩＣカードから読み取った情報に含まれるＩＣカードの識別情報に対応した所定金額の１回限りのチャージ指定情報に基づき、このＩＣカードに対してこの所定金額をチャージする、
ことを特徴とする金額チャージ方法。
【請求項５】
改札処理のために、金額チャージ可能なＩＣカードに記録された情報を読み取り、
前記ＩＣカードから読み取った情報に含まれるＩＣカードの識別情報に対応した所定金額の１回限りのチャージ指定情報に基づき、このＩＣカードに対してこの所定金額をチャージし、
前記ＩＣカードに対する所定金額のチャージに伴い、前記チャージ指定情報に基づく金額チャージを停止し、
前記ＩＣカードから読み取った情報に基づき改札処理を行なう、
ことを特徴とする改札処理を伴う金額チャージ方法。
【請求項６】
通信回線を介して、ＩＣカードの識別情報に対応付けられた所定金額の１回限りのチャージ指定を受け付け、ＩＣカードの識別情報に対応付けて所定金額の１回限りのチャージ指定情報を金額チャージデータとして管理し、
改札処理のために、金額チャージ可能なＩＣカードに記録された情報を読み取り、
前記金額チャージデータ、前記ＩＣカードから読み取った情報に含まれるＩＣカードの識別情報、及び前記ＩＣカードから読み取った情報に含まれる過去のチャージ完了情報に基づき金額チャージの必要性を判断し、
前記金額チャージデータから判明する前記識別情報に対応した所定金額の１回限りのチャージ指定情報に基づき、このＩＣカードに対してこの所定金額をチャージし、
前記チャージ指定情報に基づく所定金額のチャージに伴い、前記ＩＣカードに対して前記チャージ指定情報に基づくチャージ完了情報を記録するとともに、前記チャージ指定情報を削除し、前記チャージ指定情報に基づく金額チャージを停止し、
前記ＩＣカードから読み取った情報に基づき改札処理を行なう、
ことを特徴とする改札処理を伴う金額チャージ方法。
【発明の詳細な説明】
【技術分野】
【０００１】
本発明は、金額チャージ可能なＩＣカードに対して所定金額をチャージする金額チャージシステム及び金額チャージ方法に関する。
【背景技術】
【０００２】
近年、自動改札装置に対して乗車券や定期券として利用可能なＩＣカードが普及している。金額情報を記憶したＩＣカードは乗車券（プリペイドカード）として利用可能であり、定期乗車情報（有効乗車区間及び有効乗車期限などの情報）を記憶したＩＣカードは定期券として利用可能である。さらに、これら金額情報及び定期乗車情報の両方を記憶したＩＣカードは両機能による改札処理を受けることができる。例えば、定期区間内の乗降であれば運賃の支払いは不要で、定期区間外の乗降であれば金額情報から定期区間外の運賃が支払われ、定期区間内と定期区間外が混在した乗降であっても金額情報から定期区間外の運賃だけが支払われる。このようなＩＣカードの普及により、利用客は精算の煩わしさから開放される傾向にある。
【０００３】
しかし、このようなＩＣカードであっても、自動改札装置により入場改札処理を受けたとき、ＩＣカードにチャージされている金額情報から残額不足が判明すると「残額不足エラー」となり、券売機によりＩＣカードに対して金額をチャージしてから再び自動改札装置により入場改札処理を受ける必要がある。また、自動改札機により出場改札処理を受ける際にも、ＩＣカードにチャージされている金額情報から残額不足が判明すると「残額不足エラー」となり、精算機により精算処理またはチャージ処理をしてから再び自動改札装置で出場改札処理を受ける必要がある。
【０００４】
このような残額不足対策として、残額が少なくなると自動的にカードに対して金額をチャージする技術が開示されている（特許文献１参照）。
【特許文献１】特開２００２−１０９５８４
【発明の開示】
【発明が解決しようとする課題】
【０００５】
しかしながら、上記したチャージ方法は、残額が所定額以下になると、自動的にチャージするチャージ方法であるため、利用客の意思に反してチャージされてしまうという問題があった。
【０００６】
本発明の目的は、上記課題を解決するためになされたものであり、利用者の意思に基づく自動金額チャージが可能な金額チャージシステム、改札処理を伴う金額チャージシステム、金額チャージ方法、及び改札処理を伴う金額チャージ方法を提供することにある。
【課題を解決するための手段】
【０００７】
この発明の金額チャージシステム、改札処理を伴う金額チャージシステム、金額チャージ方法、及び改札処理を伴う金額チャージ方法は、以下のように構成されている。
【０００８】
（１）この発明の金額チャージシステムは、金額チャージ可能なＩＣカードに記録された情報を読み取る読取手段と、前記ＩＣカードから読み取った情報に含まれるＩＣカードの識別情報に対応した所定金額の１回限りのチャージ指定情報に基づき、このＩＣカードに対してこの所定金額をチャージする金額チャージ手段とを備えている。
【０００９】
（２）この発明の改札処理を伴う金額チャージシステムは、改札処理のために、金額チャージ可能なＩＣカードに記録された情報を読み取る読取手段と、前記ＩＣカードから読み取った情報に含まれるＩＣカードの識別情報に対応した所定金額の１回限りのチャージ指定情報に基づき、このＩＣカードに対してこの所定金額をチャージする金額チャージ手段と、前記ＩＣカードに対する所定金額のチャージに伴い、前記チャージ指定情報に基づく金額チャージを停止する金額チャージ制御手段と、前記ＩＣカードから読み取った情報に基づき改札処理を行なう改札手段とを備えている。
【００１０】
（３）この発明の金額チャージ方法は、金額チャージ可能なＩＣカードに記録された情報を読み取り、前記ＩＣカードから読み取った情報に含まれるＩＣカードの識別情報に対応した所定金額の１回限りのチャージ指定情報に基づき、このＩＣカードに対してこの所定金額をチャージする。
【００１１】
（４）この発明の改札処理を伴う金額チャージ方法は、改札処理のために、金額チャージ可能なＩＣカードに記録された情報を読み取り、前記ＩＣカードから読み取った情報に含まれるＩＣカードの識別情報に対応した所定金額の１回限りのチャージ指定情報に基づき、このＩＣカードに対してこの所定金額をチャージし、前記ＩＣカードに対する所定金額のチャージに伴い、前記チャージ指定情報のＩＣカードに対する金額チャージを停止し、前記ＩＣカードから読み取った情報に基づき改札処理を行なう。
【発明の効果】
【００１２】
本発明によれば、利用者の意思に基づく自動金額チャージが可能な金額チャージシステム、改札処理を伴う金額チャージシステム、金額チャージ方法、及び改札処理を伴う金額チャージ方法を提供できる。
【発明を実施するための最良の形態】
【００１３】
以下、図面を参照し、本発明の実施形態について説明する。
【００１４】
図１は、この発明の改札処理を伴う金額チャージシステムの一例を示す構成図である。図１に示すように、金額チャージシステムは、Ｗｅｂサーバ１、ＩＤ管理サーバ２、及び自動改札装置３を備えている。この金額チャージシステムの利用者は、ＰＣ（パーソナルコンピュータ）や携帯電話等の端末４からインターネットを利用し、Ｗｅｂサーバ１に対してアクセスすることができる。また、Ｗｅｂサーバ１と自動改札装置３、及びＩＤ管理サーバ２と自動改札装置３は例えばＬＡＮ接続されており、各機器間でデータのやり取りが可能な構成となっている。
【００１５】
Ｗｅｂサーバ１は、通信制御部１１及びチャージデータ管理部１２を備えている。通信制御部１１は、端末４や自動改札装置３との通信を制御する。チャージデータ管理部１２は、後述する自動チャージデータを管理する。ＩＤ管理サーバ２は、通信制御部２１及びＩＤ管理部２２を備えている。通信制御部２１は、自動改札装置３との通信を制御する。ＩＤ管理部２２は、各ＩＣカード５に割り振られたＩＤ番号に基づき各ＩＣカード５に対する各種処理結果等のデータを管理する。
【００１６】
自動改札装置３は、ＩＣカードリーダ／ライタ３１、改札処理部３２、チャージ処理部３３、チャージデータ記憶部３４、表示部３５、通信制御部３６を備えている。ＩＣカードリーダ／ライタ３１は、ＩＣカード５から情報を読み取ったり、ＩＣカード５に対して情報を書き込んだりする。本発明で適用されるＩＣカード５は接触式でもよいし、非接触式（無線式）でもよいが、以下では非接触式のケースを例に取り説明する。
【００１７】
改札処理部３２は、ＩＣカード５から読み取った情報に基づき入場改札処理又は出場改札処理を行なう。入場改札処理の場合に、ＩＣカードリーダ／ライタ３１によりＩＣカード５から金額情報だけが読み取られると、改札処理部３２は例えば初乗り運賃をこの金額情報から差し引いて受け取り、入場情報（入場駅情報及び入場日時情報など）を記録し入場改札を許可する。同じく入場改札処理の場合に、ＩＣカードリーダ／ライタ２１によりＩＣカード５から定期乗車情報（有効乗車区間及び有効乗車期限などの情報）だけが読み取られると、改札処理部３２は定期区間内か否か判定し、定期区間内であれば入場情報を記録し入場改札を許可し、定期区間外であればドアを閉じて入場改札を不許可とする。同じく入場改札処理の場合に、ＩＣカードリーダ／ライタ３１によりＩＣカード５から金額情報及び定期乗車情報の両方が読み取られると、改札処理部３２は定期区間内か否か判定し、定期区間内であれば入場情報を記録し入場改札を許可し、定期区間外であれば例えば初乗り運賃を金額情報から差し引いて受け取り入場情報を記録し入場改札を許可する。
【００１８】
一方、出場改札処理の場合に、ＩＣカードリーダ／ライタ３１によりＩＣカード５から入場情報及び金額情報が読み取られると、改札処理部３２は例えば全区間の乗車運賃から初乗り運賃を差し引いた差額をこの金額情報から差し引いて受け取り、出場情報（出場駅情報及び出場日時情報など）を記録し出場改札を許可する。同じく出場改札処理の場合に、ＩＣカードリーダ／ライタ３１によりＩＣカード５から入場情報及び定期乗車情報が読み取られると、改札処理部３２は定期区間内か否か判定し、定期区間内であれば出場情報を記録し出場改札を許可し、定期区間外であればドアを閉じて出場改札を不許可とする。同じく出場改札処理の場合に、ＩＣカードリーダ／ライタ３１によりＩＣカード５から入場情報、金額情報、及び定期乗車情報が読み取られると、改札処理部３２は定期区間外の乗車があれば定期区間外の運賃（初乗り運賃が支払い済みであれば定期区間外の運賃から初乗り運賃を差し引いた差額）を金額情報から差し引いて受け取り出場情報を記録し出場改札を許可する。
【００１９】
チャージデータ記憶部３４は、Ｗｅｂサーバ１から送信される自動チャージデータを記憶する。チャージ処理部３３は、ＩＣカードリーダ／ライタ３１によりＩＣカード５から読み取られたＩＤ番号及びチャージデータ記憶部３４に記憶された自動チャージデータに基づき、必要に応じてＩＣカード５に対して所定金額をチャージする。表示部３５は、この自動改札装置３の利用者に対して各種案内を表示する。通信制御部３６は、Ｗｅｂサーバ１及びＩＤ管理サーバ２との通信を制御し、例えばＷｅｂサーバ１から送信される自動チャージデータを受信する。
【００２０】
次に、図２に示すフローチャートを参照して、この発明の金額チャージシステムによる金額チャージ処理について説明する。
【００２１】
金額チャージシステムの利用者（通常はＩＣカード５の所有者）は、各人が所有するＰＣや携帯電話等の端末４を介してＷｅｂサーバ１に対してアクセスすることができ、端末４によりＷｅｂサーバ１に対してアクセスすると、端末４の画面には「自動チャージ」のサービスメニューが表示される。端末４を介して、このサービスメニューに対して、ＩＣカード５のＩＤ番号（識別情報）と予めＩＣカード５の所有者が登録しているパスワードを入力する。入力したＩＤ番号とパスワードの組み合わせが、予め登録されているＩＤ番号とパスワードの組み合わせに合致すると、１回限りのチャージ金額と支払い方法（口座引落またはクレジットカード）の設定画面が表示される。端末４を介して、設定画面に対して、１回限りのチャージ金額（例えば１万円）及び支払い方法の入力を行なう（ＳＴ１１）。
【００２２】
端末４を介して入力された１回限りのチャージ金額と支払い方法はＷｅｂサーバ１で受信され、受信された１回限りのチャージ金額と支払い方法はＩＤ番号に対応付けられさらに取引通番が付与されてＷｅｂサーバ１で管理される。つまり、Ｗｅｂサーバ１のチャージデータ管理部１２により取引番号、ＩＣカード５のＩＤ番号、チャージ金額、及び支払い方法等を含む自動チャージデータ（チャージ指定情報）として管理される。さらに、Ｗｅｂサーバ１の通信制御部１１は、チャージデータ管理部１２により管理さている自動チャージデータを各駅に設置された自動改札装置３へ送信する（ＳＴ１２）。自動改札装置３は、通信制御部２６を介して自動チャージデータを受信し、チャージデータ記憶部２４により自動チャージデータを記憶する。
【００２３】
ＩＣカード５の利用者は、駅構内への入場時又は駅構外への出場時に、ＩＣカード５を自動改札装置３に対してかざす。自動改札装置３に対してＩＣカード５がかざされると（ＳＴ２１）、自動改札装置３のＩＣカードリーダ／ライタ３１によりＩＣカード５から情報が読み取られる。
【００２４】
自動改札装置３のチャージ処理部３３は、チャージデータ記憶部２４に記憶された自動チャージデータを参照して、ＩＣカード５から読み取った情報に含まれるＩＣカード５のＩＤ番号に基づきチャージの必要性を判断する。例えば第１に、自動チャージデータの中に、ＩＣカード５から読み取ったＩＤ番号が含まれているか否かをチェックする（ＳＴ２２）。自動チャージデータの中に、ＩＣカード５から読み取ったＩＤ番号が含まれていれば（ＳＴ２２、ＹＥＳ）、続いて第２に、このＩＤ番号に対応する取引番号の取引完了がＩＣカード５に記録されていないかをチェックする（ＳＴ２３）。このＩＤ番号に対応する取引番号の取引完了がＩＣカード５に記録されていなければ（ＳＴ２３、ＹＥＳ）、ＩＣカードリーダ／ライタ３１によりこのＩＤ番号に対応するチャージ金額がＩＣカード５に対してチャージ（記録）され、さらにログデータとして取引通番と取引完了をＩＣカード５に記録する（ＳＴ２４）。ログデータとして取引通番と取引完了をＩＣカード５に記録することにより、同じＩＣカード５に対する金額チャージが停止され、これにより１回限りの所定金額のチャージが成立する。よって、例えば同じＩＣカード５が自動改札装置３に対してかざされても、所定金額が重複してチャージされることはない。
【００２５】
チャージ金額のチャージに伴い、自動改札装置３は、ＩＤ管理サーバ２に対して所定のＩＤ番号のＩＣカード５に対するチャージ完了の明細データを送信し、さらにＷｅｂサーバ１に対して所定のＩＤ番号のＩＣカード５に対する自動チャージ正常終了を送信する（ＳＴ２５）。さらに、自動改札装置３の改札処理部３２は、ＩＣカード５から読み取った情報に基づき入場改札処理又は出場改札処理を行ない、改札処理結果の明細データをＩＤ管理サーバ２へ送信する（ＳＴ２６）。
【００２６】
所定のＩＤ番号のＩＣカード５に対する自動チャージ正常終了の通知を受けたＷｅｄサーバ１は、各駅の自動改札装置３に対して該当する自動チャージデータの削除を指示し、これに伴い各駅の自動改札装置３のチャージデータ記憶部３４から該当する自動チャージデータが削除される。
【００２７】
本発明のチャージシステムによるチャージ方法によれば、カード残額が決まった額以下になった場合に無条件に毎回、自動チャージするチャージ方法とは違い、旅客がチャージしたい時だけ、一回限りで自動チャージすることができる。結果的に、事前に残額不足を防止することができ、自動改札装置によるスムーズな改札処理（精算処理不要）を受けることができる。
【００２８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２９】
【図１】この発明の改札処理を伴う金額チャージシステムの一例を示す構成図である。
【図２】この発明の金額チャージシステムによる金額チャージ処理を説明するフローチャートである。
【符号の説明】
【００３０】
１…Ｗｅｂサーバ、２…ＩＤ管理サーバ、３…自動改札装置、４…端末、５…ＩＣカード、１１…通信制御部、１２…チャージデータ管理部、２１…通信制御部、２２…ＩＤ管理部、３１…ＩＣカードリーダ／ライタ、３２…改札処理部、３３…チャージ処理部、３４…チャージデータ記憶部、３５…表示部、３６…通信制御部
【図１】
2005215877.tif 000003
【図２】
2005215877.tif 000004